(57)【要約】      （修正有）【課題】前進するディスクトレイにて押されることで閉鎖方向に付勢されているトレイドアを開く光ディスク装置であって、特殊な部材や加工方法を用いることなく容易に取り付けられ、前記トレイドアが前面パネルから脱落しても、前記トレイドアの支持軸に巻回され該トレイドアを付勢する捩じりばねが脱落するのを抑制することができる。【解決手段】ディスクユニットと、開口部が形成され、係合部１５Ｌ、１５Ｒが裏面に一体突設された前面パネルと、係合部１５Ｌ、１５Ｒと係合する支持軸３３Ｌ、３３Ｒを有する一対のアーム３２Ｌ、３２Ｒが突設したトレイドアと、支持軸３３Ｌに巻回される捩じりばね４とを有し、貫通孔１６１が形成され、係合部１５Ｌと平行に突設されるリブ１６を有し、捩じりばね４の端部４２が貫通孔１６１に挿入されるとともに、貫通孔１６１より突出した部分が折り曲げられている。【選択図】図３
2007265564.tif 000002
【特許請求の範囲】
【請求項１】
前後進可能なディスクトレイを備えたディスクユニットと、
前記ディスクトレイが通過する開口部が形成され、先端部に係合孔を備えた係合部が裏面に一体突設された前面パネルと、
先端部に前記係合部と係合する支持軸を有する一対のアームが裏面より突設し、前記開口部を開閉するためのトレイドアと、
前記一方のアームの支持軸に巻回されトレイドアを常時閉鎖方向に付勢する捩じりばねとを有し、前記トレイが前進するときに前記トレイドアを前記捩じりばねに抗して押すことにより、該トレイドアを支持軸回りに回動させる光ディスク装置であって、
貫通孔が形成され、前記前面パネルの裏面から前記係合部と平行に突設されるリブを有し、
前記捩じりばねは一方の端部が前記リブの前記貫通孔に挿入されるとともに、前記貫通孔より突出した部分が折り曲げられていることを特徴とする光ディスク装置。
【請求項２】
光ディスクを配置し前後進可能なディスクトレイを備えたディスクユニットと、
前記ディスクトレイが通過する開口部が形成され、先端部に係合孔を備えた係合部が裏面に一体突設された前面パネルと、
先端部に前記係合部と係合する支持軸を有する一対のアームが裏面より突設し、前記開口部を開閉するためのトレイドアと、
前記一方のアームの支持軸に巻回されトレイドアを常時閉鎖方向に付勢する捩じりばねとを有し、前記トレイが前進するときに前記トレイドアを前記捩じりばねに抗して押すことにより、該トレイドアを支持軸回りに回動させる光ディスク装置であって、
貫通孔が形成され、前記前面パネルの裏面から突設されるリブを有し、
前記捩じりばねは一方の端部が前記リブの前記貫通孔に挿入されるとともに、前記貫通孔より突出した部分が折り曲げられていることを特徴とする光ディスク装置。
【請求項３】
前記リブは前記係合部と所定の角度を成すように前記前面パネルの裏面より突出することを特徴とする請求項２に記載の光ディスク装置。
【発明の詳細な説明】
【技術分野】
【０００１】
本発明は、光ディスクを載置したディスクトレイを前後進するときにトレイドアを開閉する光ディスク装置に関し、特に、前記トレイドアを閉鎖方向に付勢するコイルばねが脱落するのを防ぐようにしたものである。
【背景技術】
【０００２】
現在、音響機器、映像機器等の電子機器の多くは記録メディアとして光ディスクが採用されている。前記光ディスクを記録メディアとして用いる電子機器（光ディスク装置）として、ディスクトレイに光ディスクを配置し、該ディスクトレイを摺動挿入又は排出することで、取り出し位置から再生／記録位置へ又はその逆に搬送するトレイローディング方式を採用しているものが多く用いられている。例えば前記光ディスク装置がＤＶＤ（Ｄｉｇｉｔａｌ  Ｖｅｒｓａｔｉｌｅ  Ｄｉｓｃ）プレーヤの場合、プレーヤに備えられたボタンや、リモートコントローラからの入力によって前記トレイの挿入、排出が行われる。
【０００３】
前記ＤＶＤプレーヤの前面の前記ディスクトレイが挿入、排出される部分には開口部が形成されており、該開口部には該ディスクトレイがプレーヤ内部に挿入されている状態のときに、内部が見えないようにするとともに、外部からの異物の進入を抑制するためのトレイドアが取り付けられている。前記トレイドアは前記ディスクトレイが排出されるときは該ディスクトレイの動きにあわせて開き、前記ディスクトレイが挿入されるときは該ディスクトレイの動きにあわせて閉じるように形成されている。
【０００４】
トレイドアの支軸には捩じりばねが巻回されて備えられている。この捩じりばねの弾性力によって、前記トレイドアは閉鎖する方向に付勢されている。（特開２０００−３３１４７０号公報等参照）。
【０００５】
しかしながら、前記トレイドアに無理な力がかかり、破損したり外れてしまったりした場合に、前記捩じりばねも前記トレイドアから脱落する。前記捩じりばねが光ディスク装置等の電子機器の内部のプリント基板又はプリント基板に実装された電子部品の端子と接触し、短絡させて電子部品を破損させたり、発熱、発火させたりする不具合が発生する可能性がある。
【０００６】
また、前記ディスクトレイを前後進させるための駆動機構に用いられる歯車機構やその他の駆動機構と噛み合うことで、駆動機構の動作を妨げてしまったり、最悪の場合、駆動機構の破損してしまったりすることもある。
【０００７】
特開２００６−４５４９号公報に記載の発明には、捩じりばねの脱落を阻止する脱落阻止手段が備えられているものが示されている。前記脱落阻止手段としては、捩りばねと該捩じりばねと支軸との間に円筒軸を介在するもの（特開２００６−４５４９号公報、図１等参照）、捩じりばねの一端を湾曲させて形成したリング部をフロントパネルの裏面に突設されたロックピンに係合し、ロックピンを加熱融解させて変形させ、抜け止めをするもの（特開２００６−４５４９号公報、図２、３等参照）、一対のロックピンに略Ｌ字状に折曲げた捩じりばねの一端を係合させ、該一対のロックピンの先端どうしを連結する連結部を備えるもの（特開２００６−４５４９号公報、図４等参照）が示されている。
【特許文献１】特開２００６−４５４９号公報
【特許文献２】特開２０００−３３１４７０号公報
【発明の開示】
【発明が解決しようとする課題】
【０００８】
しかしながら、特開２００６−４５４９号公報に記載の発明では、捩じりばねの一端を脱落阻止手段として、特殊な部材（円筒軸、連結部等）を利用したり、加熱融解を利用したりすることで行っており、それだけ、捩じりばねを取り付けるために、別途部材が必要であったり、特殊な加工方法が必要であったりする。
【０００９】
そこで本発明は、前進するディスクトレイにて押されることで閉鎖方向に付勢されているトレイドアを開く光ディスク装置であって、前記トレイドアが前面パネルから脱落しても、前記トレイドアの支持軸に巻回され該トレイドアを付勢する捩じりばねが脱落するのを抑制することができる光ディスク装置を提供することを目的とする。
【００１０】
また本発明は、前進するディスクトレイにて押されることで閉鎖方向に付勢されているトレイドアを開く光ディスク装置であって、特殊な部材や加工方法を用いることなく前記トレイドアの支持軸に巻回された捩じりばねの脱落を抑制でき、それだけ製造にかかる手間及びコストを低減することができる光ディスク装置を提供することを目的とする。
【課題を解決するための手段】
【００１１】
上記目的を達成するために本発明は、前後進可能なディスクトレイを備えたディスクユニットと、前記ディスクトレイが通過する開口部が形成され、先端部に係合孔を備えた係合部が裏面に一体突設された前面パネルと、先端部に前記係合部と係合する支持軸を有する一対のアームが裏面より突設し、前記開口部を開閉するためのトレイドアと、前記一方のアームの支持軸に巻回されトレイドアを常時閉鎖方向に付勢する捩じりばねとを有し、前記トレイが前進するときに前記トレイドアを前記捩じりばねに抗して押すことにより、該トレイドアを支持軸回りに回動させる光ディスク装置であって、貫通孔が形成され、前記前面パネルの裏面から前記係合部と平行に突設されるリブを有し、前記捩じりばねは一方の端部が前記リブの前記貫通孔に挿入されるとともに、前記貫通孔より突出した部分が折り曲げられていることを特徴とする。
【００１２】
この構成によると、前記捩じりばねの一方の端部の前記貫通孔より突出した部分を折り曲げて形成しているので、前記係合部と前記一方の端部が係合し、前記トレイドアがはずれ、前記支持軸が前記係合部から外れても、前記捩じりばねは脱落しない。
【００１３】
このことにより、捩じりばねが光ディスク装置の内部に配置されたプリント基板のプリント配線や電子部品の端子をショートさせることによる不具合の発生を抑制することができる。
【００１４】
また、特殊な形状の捩じりばねや係合リブを用いないで形成することが可能なので、光ディスク装置の製造にかかるコストを低減することが可能である。
【００１５】
上記目的を達成するために本発明は、光ディスクを配置し前後進可能なディスクトレイを備えたディスクユニットと、前記ディスクトレイが通過する開口部が形成され、先端部に係合孔を備えた係合部が裏面に一体突設された前面パネルと、先端部に前記係合部と係合する支持軸を有する一対のアームが裏面より突設し、前記開口部を開閉するためのトレイドアと、前記一方のアームの支持軸に巻回されトレイドアを常時閉鎖方向に付勢する捩じりばねとを有し、前記トレイが前進するときに前記トレイドアを前記捩じりばねに抗して押すことにより、該トレイドアを支持軸回りに回動させる光ディスク装置であって、貫通孔が形成され、前記前面パネルの裏面から突設されるリブを有し、前記捩じりばねは一方の端部が前記リブの前記貫通孔に挿入されるとともに、前記貫通孔より突出した部分が折り曲げられていることを特徴とする。
【００１６】
この構成によると、前記捩じりばねの一方の端部の前記貫通孔より突出した部分を折り曲げて形成しているので、前記係合部と前記一方の端部が係合し、前記トレイドアがはずれ、前記支持軸が前記係合部から外れても、前記捩じりばねは脱落しない。
【００１７】
このことにより、捩じりばねが光ディスク装置の内部に配置されたプリント基板のプリント配線や電子部品の端子をショートさせることによる不具合の発生を抑制することができる。
【００１８】
また、特殊な形状の捩じりばねや係合リブを用いないで形成することが可能なので、光ディスク装置の製造にかかるコストを低減することが可能である。
【００１９】
上記構成において前記リブは前記係合部と所定の角度を成すように前記前面パネルの裏面より突出するものであってもよい。
【発明の効果】
【００２０】
本発明によると、前進するディスクトレイにて押されることで閉鎖方向に付勢されているトレイドアを開く光ディスク装置であって、前記トレイドアが前面パネルから脱落しても、前記トレイドアの支持軸に巻回され該トレイドアを付勢する捩じりばねが脱落するのを抑制することができる。
【００２１】
また本発明によると、前進するディスクトレイにて押されることで閉鎖方向に付勢されているトレイドアを開く光ディスク装置であって、特殊な部材や加工方法を用いることなく前記トレイドアの支持軸に巻回された捩じりばねの脱落を抑制でき、それだけ製造にかかる手間及びコストを低減することができる。
【発明を実施するための最良の形態】
【００２２】
以下に本発明の実施形態を図面を参照して説明する。図１に本発明にかかる光ディスク装置の一例の正面図を、図２に図１に示す光ディスク装置の前面部の側断面図を、図３に図１に示す光ディスク装置の前面パネルを背面側から見た図を示す。図１に示す光ディスク装置はそれには限定されないが、ここではＤＶＤプレーヤである。図１、図２に示すＤＶＤプレーヤＰＬは、前面パネル１と、ＤＶＤメディアを再生するＤＶＤプレーヤユニット２と、前面パネル１の背面に取り付けられ開口部１１を開閉するトレイドア３と、トレイドア３を閉鎖する方向に付勢する捩じりばね４とを有している。
【００２３】
前面パネル１には後述するディスクトレイ２１が前後進するときに通過する開口部１１と、ＤＶＤメディアを挿入、排出するためのメディアボタン１２と、電源ボタン１３と、ＤＶＤプレーヤＰＬの状態を示す表示部１４と、後述するトレイドア３の側面視略コの字状のアーム３２Ｌ、３２Ｒが回動可能に係合される係合部１５Ｌ、１５Ｒと、係合部１５Ｌの近傍に前面パネル１の裏面より突設され捩じりばね４の後述の第２端部４２と係合する係合リブ１６とを有している。
【００２４】
図２に示すように開口部１１の上部にはトレイドア３が閉じるときに、閉じすぎないようにトレイドア３を停止するトレイドア停止リブ１１１が備えられている。係合部１５Ｌ、１５Ｒにはアーム３２Ｌ、３２Ｒに突設される後述の支持軸３３Ｌ、３３Ｒが回動可能に挿入される係合孔１５１が形成されている。
【００２５】
図２に示すように、ＤＶＤプレーヤユニット２には、開口部１１を通過して外部に排出され、上部にＤＶＤメディアを載置する又はＤＶＤメディアを取り除くことで、ＤＶＤメディアを挿入排出するディスクトレイ２１を備えている。また、図示は省略しているが、ＤＶＤプレーヤユニット２にはＤＶＤメディアにレーザ光を照射する光ヘッド、ＤＶＤメディアを回転駆動するディスク駆動機構等のＤＶＤメディアを再生するための装置が備えられている。
【００２６】
トレイドア３は矩形状の形成された本体部３１と、裏面に突設された左右一対の側面視略コの字形状のアーム３２Ｌ、３２Ｒと、一対のアーム３２Ｌ、３２Ｒそれぞれの先端より一体的に突設された支持軸３３Ｌ、３３Ｒとを有している。一対のアーム３２Ｌ、３２Ｒのうち図３中左側のアーム３２Ｌの支持軸３３Ｌには、捩じりばね４が巻回されて配置される。
【００２７】
トレイドア３は捩じりばね４によって支持軸３３Ｌ、３３Ｒを中心に回動するように付勢されている。トレイドア３はトレイドア停止リブ１１１と当接することで、内部に回動しすぎないように規制されている。
【００２８】
ディスクトレイ２１の排出時の動作を説明する。トレイドア３が閉鎖状態のときに、メディアボタン１２が押されると、ディスクトレイ２１が前面パネル１に向けて前進する。ディスクトレイ２１の先端部がトレイドア３の裏面と接触し、トレイドア３を押す。ディスクトレイ２１は捩じりばね４のトレイドア３を閉じようとする力に抗してトレイドア３を押しつつ開口部１１より排出され、このときトレイドア３は支持軸３３Ｌ、３３Ｒを中心に回動する。
【００２９】
ディスクトレイ２１が外部に排出されているときには、トレイドア３は捩じりばね４から付勢される力によって、トレイドア３の下面と接触している。ディスクトレイ２１が排出されている状態で、メディアボタン１２が押されると、ディスクトレイ２１は後進する。ディスクトレイ２１が後進し、ディスクトレイ２１の先端が前面パネル１の内部にひきこまれる。それと略同時に、トレイドア３は捩じりばね４からの力で閉鎖する方向に回動し、最終的には開口部１１を閉鎖する。
【００３０】
本発明の要部である捩じりばね４の配置について詳しく説明する。図４は捩じりばねが取り付けられている部分の背面側から見た拡大図であり、図５は図４に示す部分の側面側から見た拡大図である。前面パネル１の裏面に突設された係合リブ１６は、貫通孔１６１を有している。係合リブ１６は係合部１５Ｌと平行に形成されており、貫通孔１６１は支持軸３３Ｌと平行に形成されている。
【００３１】
捩じりばね４は、らせん状に巻かれたコイル部４０と、コイル部４０の一方の端部がコイル部４０の接線方向に伸びて形成される第１端部４１と、コイル部４０の他方の端部がコイル部４０の接線方向に伸びるとともに、コイル部４０とは反対側に屈曲した第２端部４２とを有している（図４参照）。また、図４に示すように第２端部４２は直角に折り曲げられた折曲部４２１を有している。
【００３２】
トレイドア３のアーム３２Ｌには、捩じりばね４の第１端部４１と当接するストッパリブ３２１と、アーム３２Ｌより支持軸３３Ｌと同心軸を有するスペーサ部３２２とが形成されている。ストッパリブ３２１は、アーム３２Ｌの支持軸３３Ｌと同方向に突設されるものであり、第１端部４１の少なくとも一部と係合するものである。スペーサ部３２２は支持軸３３Ｌに捩じりばね４のコイル部４０を巻回する間隙を形成するために、アーム３２Ｌと係合部１５Ｌとの間隔を一定に保持するものである。図４、図５に示すように、捩じりばね４のコイル部４０は支持軸３３Ｌのアーム３２Ｌと係合部１５Ｌとの間の部分に巻回されている。
【００３３】
図４に示すように、コイル部４０は支持軸３３Ｌに外嵌し、第１端部４１をストッパリブ３２１と係合している。また、支持軸３３Ｌは係合孔１５１に挿入され回動可能に支持されている。このとき、スペーサ部３２２の端部が係合部１５Ｌと接触し、支持部３３Ｌにコイル部４０を圧縮しないように外嵌させるスペースを形成している。そして、第２端部４２は係合リブ１６の貫通孔１６１に貫通されており、折曲部４２１が貫通孔１６１の縁部と係合している。
【００３４】
このように捩じりばね４を配置することで、トレイドア３がはずれ、支持軸３３Ｌが係合孔１５１から脱離してしまっても、折曲部４２１が貫通孔１６１の縁部と係合しており、貫通孔１６１から第２端部４２が抜けるのを抑制している。これにより、トレイドア３が前面パネル１から外れてしまっても、捩じりばね４は係合リブ１６に係合された状態を保ち前面パネル１から脱落しない。
【００３５】
例えば、トレイドア３に無理な力が付勢し、トレイドア３が前面パネル１より外れることで、支持軸３３Ｌが係合部Ｌの係合孔１５１より抜けても、捩じりばね４の折曲部４２１は係合リブ１６の貫通孔１６１と係合しており脱落しない。
【００３６】
このように、トレイドア３が万一前面パネル１より外れてしまっても、金属製の捩じりばね４がＤＶＤプレーヤ内部に配置された基板（図示省略）上に落ちるのを防ぐことができ、これにより、基板のプリント配線や基板に実装されている電子機器の端子と接触して短絡させ、ＤＶＤプレーヤの誤作動や故障の発生を抑制し、異常な発熱や発火を抑制することができる。
【００３７】
また、ＤＶＤプレーヤユニット２の内部に侵入し、ＤＶＤプレーヤユニット２に配置される、ディスクトレイ２、光ヘッド（図示省略）の駆動機構（図示省略）や光ディスク駆動機構（図示省略）等の駆動部の動作を妨げたり、破損したりする不具合の発生を低減することができる。
【００３８】
捩じりばね４の取り付けは例えば、次のように行われる。すなわち、捩じりばね４の第１端部４１をストッパリブ３２１と係合させ、コイル部４０を支持軸３３Ｌに巻回す。そして、支持部３３Ｌを係合部１５Ｌの係合孔１５１に挿入させる。このとき、捩じりばね４の第２端部４２を係合リブ１６の貫通孔１６１に貫通させる。その後、トレイドア３に力を付加して変形させ、もう一方の支持軸３３Ｒをもう一方の係合部１５Ｒの係合孔１５１に挿入することで、トレイドア３は前面パネル１に取り付けられる。そして、第２端部４２の係合リブ１６の貫通孔１６１より突出した部分を、貫通孔１６１の縁部を支点に折り曲げて折曲部４２１を形成する。
【００３９】
以上の取り付け方法では、捩じりばね４をトレイドア３に予め取り付けておき、トレイドア３を前面パネル１の裏面に形成された係合部１５と係合させるときに、捩じりばね４の第２端部４２を係合リブ１６の貫通孔１６１に貫通させ、第２端部４２を折り曲げ、折曲部４２１を形成するものを例に説明しているが、捩じりばね４の第２端部４２を予め係合リブ１６の貫通孔１６１に挿入し、係合リブ１６を支点に折り曲げて折曲部４２１を形成しておき、捩じりばね４の第１端部４１とストッパリブ３２１とを係合させ、コイル部４０を支持軸３３Ｌが貫通させることでトレイドア３を取り付けてもよい。
【００４０】
図６に捩じりばねが取り付けられている部分の背面側から見た拡大図を示す。図６に示す光ディスク装置では捩じりばね５、係合リブ１７の形状が異なる以外は図４に示す光ディスク装置と同じ構成であり、実質上同一の部分には、同一の符号が付してある。
【００４１】
図６に示すように、捩じりばね５は第１端部５１及び第２端部５２ともに、コイル部５０の接線方向に伸びる形状を有するものである。コイル部５０はトレイドア３の支持軸３３Ｌに巻回されて配置されるものであり、第１端部５１はストッパリブ３２１と係合する。
【００４２】
係合リブ１７は、係合部１５Ｌに対して直交するように形成されている。係合リブ１７をこのように係合部１５Ｌに対して直交するように形成することで、第２係合部５２を軸方向に折り曲げなくても良く、それだけ、ばねの製造が容易になる。また、ストッパリブ３２１、係合リブ１７及び捩じりばね５の形状及び配置を適正化することで、第１端部５１と第２端部５２とを入れ替えても使えるようになり、それだけ、製造にかかる手間を少なくすることが可能である。
【００４３】
上記各実施例において、係合リブ１６、１７として、それぞれ係合部１５Ｌに対して平行、垂直に突設されるものを挙げているが、それに限定されるものではなく、捩じりばね４のが取り付けられる係合部１５の近傍に配置され、捩じりばね４の第２端部４２と係合することができる角度のものを広く採用することができる。
【００４４】
また、上記各実施例において、捩じりばね４（５）をトレイドア３の背面から見て左側に形成されたアーム３２Ｌに突設された支持軸３３Ｌに巻回されているものを例に説明しているが、それに限定されるものではなく、右側の係合部１５Ｒの近傍に係合リブ１６（１７）を形成しておき、右側のアーム３２Ｒの支持軸３３Ｒに巻回して取り付けるものであっても良い。さらには、両方の支持軸３３Ｌ、３３Ｒに巻回して配置するものであってもよい。
【００４５】
上記実施例において、光ディスク装置としてＤＶＤメディアの再生を行うＤＶＤプレーヤを採用しているが、それに限定されるものではなく、トレイを用いて光ディスクを挿入する光ディスク装置（例えば、ＣＤ、ＬＤ等）を広く採用することができる。
【産業上の利用可能性】
【００４６】
本発明は、ＤＶＤ、ＣＤ、ＬＤ等のトレイを用いてメディアの挿入を行うことができる光ディスク装置において適用することができる。
【図面の簡単な説明】
【００４７】
【図１】本発明にかかる光ディスク装置の一例の正面図である。
【図２】図１に示す光ディスク装置の前面部の側断面図である。
【図３】図１に示す光ディスク装置の前面パネルを背面側から見た図である。
【図４】本発明にかかる光ディスク装置の捩じりばねが取り付けられている部分の背面側から見た拡大図である。
【図５】図４に示す部分の側面側から見た拡大図である。
【図６】本発明にかかる光ディスク装置の捩じりばねが取り付けられている部分の背面側から見た拡大図である。
【符号の説明】
【００４８】
ＰＬ  ＤＶＤプレーヤ
１  前面パネル
１１  開口部
１１１  停止リブ
１２  メディアボタン
１３  電源ボタン
１４  表示部
１５Ｌ、１５Ｒ  係合部
１５１  係合孔
１６  係合リブ
１６１  貫通孔
２  ＤＶＤプレーヤユニット
２１  ディスクトレイ
３  トレイドア
３１  本体部
３２Ｌ、３２Ｒ  アーム
３３Ｌ、３３Ｒ  支持軸
４  捩じりばね
４０  コイル部
４１  第１端部
４２  第２端部
４２１  折曲部
【図１】
2007265564.tif 000003
【図２】
2007265564.tif 000004
【図３】
2007265564.tif 000005
【図４】
2007265564.tif 000006
【図５】
2007265564.tif 000007
【図６】
2007265564.tif 000008